(57)【要約】【課題】地球環境上障害とならず、電球の取り替えが自由にできる防爆型の庫内照明灯用ソケットを提供する。【解決手段】底部を密封されたソケット本体３と、この本体内に密着状に装入される電球口金受け具４より成り、前記ソケット本体３及び受け具４は燃焼時ハロゲンを発生しない電気絶縁材から成り、電球の口金２１が螺合するねじ部８を備えていることを特徴とするソケット。【選択図】図１
2006049255.tif 000002
【特許請求の範囲】
【請求項１】
底部を密封されたソケット本体と、この本体内に密着状に装入される電球口金受け具より成り、前記ソケット本体及び受け具は燃焼時ハロゲンを発生しない電気絶縁材から成り、電球の口金が螺合するねじ部を備えていることを特徴とするソケット。
【請求項２】
請求項１において、ソケット本体底部の密封部を通してリード線が導入され、電球の端子及び口金と接触する接片と接続されていることを特徴とするソケット。
【請求項３】
請求項２において、口金と接触する接片は受け具の一部に形成した切欠部に配設されていることを特徴とするソケット。
【請求項４】
請求項２〜３のいずれか一項において、ソケット本体底部に電球の端子及び口金と接触する接片と接続されている接続端子を設けて成るソケット。
【請求項５】
請求項１〜４のいずれか一項において、ソケット本体と受け具との間に、電球の螺合時に回転することを防止する廻り止めを設けたことを特徴とするソケット。
【請求項６】
請求項５において、廻り止めはソケット本体と受け具に形成された稜線又は凹条凸条より成ることを特徴とするソケット。
【発明の詳細な説明】
【技術分野】
【０００１】  本発明は冷蔵庫等の庫内照明に係る、防爆構造を備えた電球のソケットに関する。
【背景技術】
【０００２】  近年、電気冷蔵庫の冷媒が大気のオゾン層破壊の問題から代替フロンに代ったもののその代替フロンも地球温暖化係数が二酸化炭素の数千倍もあり、近年冷媒として炭化水素系の物質（例えばイソブタン）が使用されてきている。これらのガスは気化し空気とある一定の混合状態のとき過熱、発火源が存在すれば爆発に至る爆発限界が知られている。そのため電気冷蔵庫の安全設計の自主基準が日本電機工業会からも示されノンフロン冷蔵庫として実用化に至っている。公知の如く冷蔵庫の扉を開けたとき収納物が明瞭に目視しやすいように小形電球が点灯される構造となっているのが一般的になっている。従来、この種の庫内照明用のソケットとしては特開２００４−０３７００４号公報（特許文献１）、特開２００２−１６４１３８号公報（特許文献２）及び特開２００３−２１４７６３号公報（特許文献３）等が知られている。【０００３】  以下、図４により特開２００４−０３７００４号公報（特許文献１）に示されている従来例について説明すると、５０は庫内灯装置で冷蔵庫の内壁Ｒに取り付けられたソケット本体５１と電球５２から成っている。ソケット本体５１の内部には金属製で螺旋状のねじ部よりなる受け金５３が設けられるとともに先端部には電球５２の外径よりやや小さい内径の保持部５４が設けられている。電球５２は口金部５５が前記受け金５３にねじ込まれて装着される。このとき電球５２は保持部５４に密着して内包される。このためソケット本体５１の内部と庫内空間とは密封されているため可燃性ガスがソケット内に浸入することがない。尚、５６、５７はリード線である。ほぼ同様の従来例が特開２００２−１６４１３８号公報（特許文献２）に示されているが説明は省略する。【０００４】  次に図５により特開２００３−２１４７６３号公報（特許文献３）に示されている従来例について説明すると、８０は電球、８１はソケットで両者は一体的に成されており、リード線に接続されているコネクタ（図示せず）に差込接続されるピン８３を備えている。このような構成によれば電気接続部に緩みを生じる恐れがないため、スパークの発生はなくなり防爆効果を得ることができる。
【特許文献１】特開２００４−０３７００４号公報
【特許文献２】特開２００２−１６４１３８号公報
【特許文献３】特開２００３−２１４７６３号公報
【発明の開示】
【発明が解決しようとする課題】
【０００５】  上記特許文献１に開示された庫内灯装置は可燃性ガス雰囲気中にあって接点部分との空気接触をなくし、防爆効果を得んとするものであるが、なお以下のような解決すべき課題があった。【０００６】  すなわち、前記ソケット本体５１ならびに保持部５４は軟質の合成樹脂、代表的には塩化ビニル樹脂が使われ廃棄燃焼時にはハロゲンガスを生じる物であり好ましい材料ではなかった。ほかに軟質の材料でポリエチレン樹脂があるが耐熱度が低く保持部５４の長期的な効果は望めないものであった。【０００７】  また、特許文献３に開示された庫内灯装置においては、電球フィラメントの断線が生じた場合交換用の差込端子方式の小形電球は市販されておらず、購入しにくく冷蔵庫の販売事業者へ依存することになり手数料等費用が過大になるものである。【０００８】  本発明はこのような課題にかんがみ提案されたものであり、冷蔵庫等の炭化水素系の冷媒漏れに確実に対応できるのは勿論、廃棄時に地球環境保護上の問題を生じることなく、しかも一般的に購入し易く自由に取り替えできる庫内照明に使用するソケットを提供することを目的とするものである。
【課題を解決するための手段】
【０００９】  前記課題を解決するため本発明のソケットは、底部を密封されたソケット本体と、この本体内に密着状に装入される電球口金受け具より成り、前記ソケット本体及び受け具は燃焼時ハロゲンを発生しない電気絶縁材から成り、受け具に電球の口金が螺合するねじ部を備えていることを特徴とするものである。
【発明の効果】
【００１０】  本発明の冷蔵庫等に用いる庫内灯ソケットは炭化水素系の冷媒（例えばイソブタン）を使用する冷蔵庫において、庫内でガス漏れに依る点火爆発事故を防止し、かつ交換容易な標準小形電球を使用することが出来、庫内灯に係る日本電機工業会の自主基準を満たし、廃棄時に地球環境保護に適切な外殻材料でソケットを作ることが出来る。
【発明を実施するための最良の形態】
【００１１】  本発明の第１の発明は、底部を密封されたソケット本体と、この本体内に密着状に装入される電球口金受け具より成り、前記ソケット本体及び受け具は燃焼時ハロゲンを発生しない電気絶縁材から成り、電球の口金が螺合するねじ部を備えていることを特徴とするソケットである。【００１２】  これにより、ソケット本体内が密封状態となるため、ガス漏れが生じても電球と接触する接片部にガスの侵入は無くスパークすることはなく、しかもこのソケットは廃棄時に地球環境に有害となることはない。また、電球はソケットと別体であり口金受け具に装着するものであるからフィラメント断線時には電球のみを自由に取り替えることができる。【００１３】  第２の発明は第１の発明において、ソケット本体底部の密封部を通してリード線が導入され、電球の端子及び口金と接触する接片と接続されていることを特徴とするソケットで、これによりソケットは接片を密封状態としたまま庫内へ容易にセットすることができる。【００１４】  第３の発明は第２の発明において、電球の口金と接触する接片が受け具の一部に形成した切欠部に配設されていることを特徴とするソケットで、接片のばね性を活用することができ良好な接触を得る事が容易となる。【００１５】  第４の発明は第２の発明または第３の発明において、ソケット本体底部に電球の端子及び口金と接触する接片と接続されている接続端子を設けて成るソケットで、ソケットの組み立て製造が容易である。【００１６】  第５の発明は第１〜４のいずれかの発明において、ソケット本体と受け具との間に、電球の螺合時に回転することを防止する廻り止めを設けたことを特徴とするソケットで、電球の装着を簡単確実に行うことができる。【００１７】  第６の発明は第５の発明において、廻り止めがソケット本体と受け具に形成された稜線又は凹条凸条より成ることを特徴とするソケットで、電球の装着を簡単確実にするとともにソケット本体と受け具との隙間をなくすことができるものである。【００１８】  以下に図面を参照しながら本発明を実施するための最良の形態を詳細に説明する。なお、本発明は本実施の形態により限定されるものではない。また、本実施の形態の説明において、同一構成ならびに作用効果を奏するところは同一符号を付して重複した説明は行わないものとする。【００１９】  （実施の形態１）
図１は本発明の実施の形態１における庫内灯を装着した状態のソケットの縦断面図、図２はソケットから取り出した受け具の斜視図である。【００２０】  図１、図３において１はソケット、２は小形電球である。ソケット１はソケット本体３とこの本体３内に装着される受け具４から成っている。【００２１】  ソケット本体３は硬質の燃焼時ハロゲンを発生しない高分子樹脂材料で略円筒状に成形されている。ソケット本体３の一端部３１の内径は電球２の外径とほぼ同径であり、中間部内壁面には複数条の凸条５が形成されている。また、ソケット本体３の他端は底部３２を成し密封されている。【００２２】  前記受け具４は燃焼時ハロゲンを発生しない柔軟性を有する材料で略円筒状に形成されており、前記ソケット本体３内に装入される外径を有し、下端部側面に形成された切欠部３３を有している。前記切欠部３３は密封部材６により密封されている。また外周面には前記凸条５に対応する凹条７が複数条形成されており、さらに内周面には後記する小形電球２の螺旋状口金２１に対応する螺旋状のねじ部８が形成されている。【００２３】  ９、１０は前記受け具４の切欠部３３に配設された接片で、共に前記密封部材６に挿通したリード線１１、１２に接続されている。また接片９は電球２がソケット本体３に正しく装着されたとき前記口金２１に良好に接触し、同じく接片１０は電球２の端子２２と接触するように配設されている。【００２４】  而して前記口金２１は通常の導電性金属材から成るものであり、電球２の装着時にはこの口金２１を前記受け具４にねじ込んで装着するものである。【００２５】  口金２１がねじ込まれたとき受け具４は柔軟性を有するため若干外方に拡張しソケット本体３と密着し隙間をなくする。また、前記凸条５と凹条７が嵌まり合い廻り止め１３となるため、電球２は簡単確実に装着される。尚、前記凸条５が受け具４に設けられ、凹条７がソケット本体３に設けられても良く、凸条５と凹条７の代わりに稜線部（図示せず）を形成して廻り止めとしても同様である。【００２６】  以上のように本実施の形態ではソケット本体３内に受け具４が密着状に装着され接片はその内部に密封されるのでガス漏れに確実に対応でき、組み立てや装着時にも回り止めによって作業を容易に行うことができる。また、前記受け具４に切欠き部３３を設けたことにより組み立ては一層容易である。【００２７】  また、ソケット１は廃棄処理時にハロゲンを生じないため地球環境に害を及ぼすことがなく、電球２は自由に装脱できるため誰でも市販の電球と取り替えできるものである。【００２８】  （実施の形態２）
図３は本発明の実施の形態２における庫内灯を装着した状態のソケットの縦断面図である。図３においてソケット本体３は底部を開放しておりこの底部を密封部材７０により密封している。そして前記密封部材７０を挿通してリード線７１、７２が導入され接続端子７３、７４と接続されている。【００２９】  ７５、７６は電球の口金２１、電球２の端子２２と接触していろ接片でそれぞれ一端は接続端子７３、７４と接続されている。【００３０】  また、接続端子７３，７４は差込型端子（図示せず）とすることも出来る。【００３１】  このような構成によれば実施の形態１で述べたような切欠き部３３を設けなくてもソケット１に受け具４を簡単にセットすることができるものである。
【産業上の利用可能性】
【００３２】  本発明のソケットは冷蔵庫等において使用される炭化水素系冷媒への着火爆発の起因とならない防爆構造を有し、電球の交換を容易にしかつ廃棄処理時に地球環境上に有害な物質を発生させることのない、庫内照明灯用のソケットに適用できる。
【図面の簡単な説明】
【００３３】
【図１】本発明の実施の形態１における電球を装着した状態のソケットの縦断面図
【図２】図１におけるソケットから取り出した受け具の外観斜視図
【図３】本発明の実施の形態２における電球を装着した状態のソケットの縦断面図
【図４】従来例を示す電球を装着した状態のソケットの縦断面図
【図５】別の従来例を示す電球を装着した状態のソケット
【符号の説明】
【００３４】  １    ソケット
２    電球
２１    口金
２２    端子
３    ソケット本体
３２    底部
３３    切欠部
４    受け具
５    凸条
６    密封部
７    凹条
８    ねじ部
９    接片
１０    接片
１１    リード線
１２    リード線
１３    廻り止め
７０    密封部
７１    リード線
７２    リード線
７３    接続端子
７４    接続端子
７５    接片
７６    接片
【図１】
2006049255.tif 000003
【図２】
2006049255.tif 000004
【図３】
2006049255.tif 000005
【図４】
2006049255.tif 000006
【図５】
2006049255.tif 000007